(57)【要約】【課題】バッキング力が大きい土質条件の推進施工でも、効率よく確実にかつ経済的にバッキングを防止する。【解決手段】推進工法においてシールド掘進機１１の直後に配置され、前方先端部に小径した段差部３と後方に推進管のカラーと同径で筒状の受口部４を有し、筒状で前方のシールド掘進機１１の外筒及び後続推進管１２の外径と略同径の外殻２を有するバッキング防止筒１で、外殻２外周に放射方向に配置された複数の貫入ピン５または摩擦板が伸縮し周辺地盤に貫入することにより、推進管列を周辺地盤に強固に支持させバッキングを防止する。【選択図】図１
2018028216.tif 000002
【特許請求の範囲】
【請求項１】
推進施工中の推進管据え付け時に、掘進機先端の面板に大きな水圧や土圧が作用し、掘進機や推進管列が発進立坑側に押し戻されるバッキングを防止する装置を備えた後続筒であって、後続筒の外殻外周に、円周方向の複数個所に伸縮手段によって貫入ピンまたは摩擦板が放射方向に突出可能に配置したことを特徴とする後続筒。
【発明の詳細な説明】
【技術分野】
【０００１】
本発明は、推進施工中の推進管据え付け時に、推進管列が発進立坑側へ押し戻されるバッキングを防止する後続筒に関するものである。
【背景技術】
【０００２】
近年、上下水道管路、電力線管路、電信線管路やガス管路を道路下や軌道下に構築する際、開削工法によらず、その管路を構成するヒューム管等を推進する推進工法が多用されている。この推進工法は推進管の先頭に設置したシールド掘進機によって、発進立坑側から地山を掘削しながら推進管の後端を発進立坑内に設置した元押しジャッキで押圧することにより地中にシールド掘進機及び推進管を推進埋設していく工法である。推進管１本分の推進施工が完了すると元押しジャッキのロッドを収縮させ、推進管の後端と元押しジャッキのロットの頭部との間に次の推進管１本分のスペースを確保して次の推進管を設置する。この工程を繰り返すことによってシールド掘進機および後続の推進管列を到達立坑まで推進埋設し、発進立坑から到達立坑に至る推進管を連結した管路を構成する。
【０００３】
しかし、土質条件が地下水の多い軟弱な地盤や土被りが大きい推進施工では、シールド掘進機先端の面板に常にシールド掘進機や推進管列を発進立坑方向に押し戻そうとする、バッキング力と呼ばれる大きな水圧や土圧が作用する。このため、推進管１本分の推進施工が完了し元押しジャッキのロットを収縮させると、シールド掘進機と推進管列が発進立坑側に押し戻されるバッキングと呼ばれる現象が発生し、推進管列後端と元押しジャッキのロットの頭部との間に確保されるはずの次の推進管を設置するスペースがなくなったり、発進坑口壁の止水ゴムが推進管が押し戻されることにより反転し、止水性をなくして地下水や土砂が発進立坑内に噴発してしまうことがある。
【０００４】
この改善策として、発進立坑内で推進管の外周を構成樹脂製のバンドやワイヤーロープで締め付けて、端部を下方の床面や前面の土留壁に固定することによりバッキングを防止する方法や、推進管に突出桿を嵌挿する孔と補強板を設けたバッキング防止用推進管を用いてバッキング力支持金具と後方移動阻止金具によりバッキングを防止する方法が用いられている。
【０００５】
前記したバンドやワイヤーロープで推進管体を締め付ける方法により、比較的土被りが小さく良質な土質条件下では、締め付けによってバッキングが防止されるが、土被りが大きい場合や地下水が多い軟弱な地盤の場合には、バンドやワイヤーロープの締め付け力では対応しきれず推進施工の継続が困難となる。バッキング防止用推進管は推進管列の周面抵抗力がバッキング力を上回るまで複数本使用する必要があるが、正確な周面抵抗力の事前算定は困難であるため、計算上の使用本数をある程度上回るバッキング防止用推進管を予め用意しておく必要があり不経済であった。
【先行技術文献】
【特許文献】
【０００６】
【特許文献１】特開２０１３−１４７８１２号公報
【発明の概要】
【発明が解決しようとする課題】
【０００７】
本発明は、以上の実情の下、バッキング力が大きい土質条件の推進施工でも、効率よく確実にかつ経済的にバッキングを防止することを課題とする。
【課題を解決するための手段】
【０００８】
上記の課題を達成するために、本発明は、前方先端部に小径した段差部と後方に推進管のカラーと同径で筒状の受口部を有し、筒状で前方のシールド掘進機外筒及び後続推進管の外径と略同径の外殻を有するバッキング防止筒であって、バッキング防止筒の外殻外周に、円周方向の複数個所に伸縮手段によって貫入ピンまたは摩擦板が放射方向に突出可能に配置したことを最も主要な特徴とする。
【０００９】
外殻は、一般に鋼材が用いられ、バッキング防止筒の長さは、筒内に設置される貫入ピンや摩擦板及びそれらを作動させるための機器が配置できる長さに設定される。前方先端部の段差部外周にはゴム等よりなる止水材が装着されてシールド掘進機のカラー内面に密着して止水性を保持する。後方の受口部は後続する推進管の先端段差部が挿入され、後続する推進管の先端段差部外周に設置されたゴム等よりなる止水材が受口部内面に密着して止水性を保持する。
【００１０】
バッキング防止筒の外殻に設けられる貫入ピンや摩擦板は、推進施工時に突出して支障とならないように、通常は外殻面と同一となるように内蔵されている。貫入ピンはジャッキ構造とすることによりピストンを伸長させて外殻から突出させる。摩擦板は推進方向に所定の幅を持った箱材内にジャッキ機構を装備し、ジャッキ機構のピストンを伸長することによって摩擦板を外殻から突出させる。
【００１１】
貫入ピンや摩擦板の設置数は、推進管径や土質条件によって変化するバッキング力に合わせて決められる。貫入ピンによる方式は一般に軟弱土や普通土に用いられ、摩擦板による方式は硬質土や岩盤に用いられる。
【００１２】
ジャッキのピストンを外殻外に突出させるには大きな力が必要となるために、油圧や空気圧が利用される。推進施工時には、貫入ピンや摩擦板を外殻内に収納しなければならないため、ピストンの収縮をスムーズに行うために電磁弁を使用すると有効である。
【００１３】
本バッキング防止筒を用いたバッキング防止の作業手順は、推進管１本分の推進施工が完了すると、元押しジャッキを停止する。そして、バッキング防止筒の外殻に装備した複数の貫入ピンまたは摩擦板を外殻から突出させて地盤内に貫入する。次に、元押しジャッキのロットを収縮して推進管の後端部と元押しジャッキのロットの頭部との間にスペースを確保する。そのスペースに次の推進管を設置し、前の推進管の後端面に接続する。推進管の接続が完了すると、元押しジャッキを推進管の端面に当接させて停止する。そしてバッキング防止筒の貫入ピンまたは摩擦板を外殻内に収納して、推進施工を再開する。この手順を繰り返し実施し、推進管列が到達立坑に到達した際には、到達立坑内にシールド掘進機及びバッキング防止筒を取り込み回収する。
【発明の効果】
【００１４】
本発明のバッキング防止筒は、外殻に装備された貫入ピンまたは摩擦板の突出によりバッキング力に対して確実に対抗する。また、バッキング防止の作業が油圧ポンプの作動と電磁弁の切り替えのみであるため、短時間に効率的に行えるようになる。バッキング防止筒はシールド掘進機直後に１箇所配置すればよく、また、繰り返し使用できるため経済的である。
【図面の簡単な説明】
【００１５】
【図１】図１は本発明のバッキング防止筒を説明する縦断面図である。
【図２】図２は本発明のバッキング防止筒を説明する横断面図である。
【図３】図３は本発明の貫入ピンの詳細な断面図である。
【発明を実施するための形態】
【００１６】
以下、本発明の実施形態を図面を基に説明する。図１は本発明の貫入ピンを装備したバッキング防止筒の縦断面図である。前方先端部に小径した前方段差部３と後方に推進管のカラーと同径で筒状の受口部４を有し、筒状で前方のシールド掘進機１１及び後続推進管１２の外径と略同径の外殻２には、上下および左右の４か所に油圧ジャッキによりなる貫入ピン５が収納孔６に収められている。収納孔６の深さは、貫入ピン５の頭部が外殻２より出ない深さとなっている。バッキング防止筒１の外殻２より突出させる貫入ピン５は、シールド掘進機や推進管列を発進立坑方向に押し戻そうとするバッキング力に対抗できる反力が得られるように、地中に所定の長さだけ貫入する必要がある。土質条件等により、バッキング力が不足する場合は、貫入ピン５の設置数を増加させればよい。段差部３の前縁にはリング状の前フランジ７、外殻２と受口部４の境目にはリング状の後フランジ８を設け、外殻２の内面には円周方向に複数枚の補強板９が必要に応じて設けられる。
【００１７】
推進施工に際しては、推進管列の先頭となるシールド掘進機１１のカラー内に前方段差部３を挿入し、先端を推進管外径よりも小径した後続推進管１２の段差部を受口部４内に挿入することにより、バッキング防止筒１をシールド掘進機１１の次位に設置する。
【００１８】
シールド掘進機１１やバッキング防止筒１及び後続推進管１２の内部への土砂や地下水の流入を防止するために、前方のシールド掘進機１１のカラーとバッキング防止筒１の前方段差部３の嵌合部には、リング状の止水材１９が装着されている。また、バッキング防止筒１の受口部４と先端を推進管外径よりも小径した後続推進管１２の段差部の嵌合部も同様な止水材１９が装着されている。一般的に使用される防水材としては硬質ゴム材が用いられ、前方のシールド掘進機１１のカラーの内周面と前方段差部３の外周面に当接するように設置される。また、バッキング防止筒１の受口部４の内周面と後続推進管１２の段差部の外周面に当接するように設置される。
【００１９】
シールド掘進機１１の後端面とバッキング防止筒１の前方段差部３の前縁に設けられたフランジ７の間、及びバッキング防止筒１の外殻２と受口部４の境目に設けられた後フランジ８と後続推進管１２の前端面の間には、直線推進であれば推進力が全断面で均等に伝達できるように全周にクッション材１０が配置されている。曲線推進を含む推進施工であれば、曲線条件に合わせて上下または左右に曲線用のクッション材が配置される。
【００２０】
図２は本発明の貫入ピンを装備したバッキング防止筒の横断面図である。各貫入ピン５の加圧口と戻り口は、加圧配管１３と戻り配管１４で連通されており、各配管１３、１４の端部は電磁弁１５に接続され、電磁弁１５を介して圧力油が加圧配管１３または戻り配管１４に切り替え供給されて、油圧ジャッキのピストンである貫入ピン５を伸縮させる。加圧配管１３や戻り配管１４の材料としては、比較的高圧力の油圧に対して破損しないように、鋼材や合成ゴム材等が用いられる。
【００２１】
図３は、貫入ピンを詳細に説明する断面図である。通常貫入ピン５である油圧ジャッキは収納孔６内に収められている。収納孔６の上部にはシール材１８が設置され、貫入ピン５の密封が行われている。貫入ピン５の加圧口１６には加圧配管１３が接続され、戻り口１７には戻り配管１４が接続されている。加圧配管１３より油が共有されると貫入ピン５が伸長して地盤に貫入されていく。電磁弁１５が切り替えられると、戻り配管５に油が供給され、貫入ピン５が縮小され収納孔６に収まる。この時、加圧配管１３の油はフリーとなって電磁弁１５を通って油圧ポンプ側へと戻される。
【００２２】
上記実施形態では、４か所の貫入ピンを地盤に貫入させる形態を例示したが、推進管径や土質条件によって、貫入ピンの数を増減させることが出来る。また、地盤が硬質土や岩盤の場合には、貫入ピンに代えて摩擦板を用いることも可能である。
【産業上の利用可能性】
【００２３】
本発明のバッキング防止筒により推進管列は周辺地盤に強固に支持され、バッキング防止作業も油圧ポンプの作動と電磁弁の切り替えるだけで安全に短時間で実施できるため、バッキング力が大きい地下水の多い軟弱な地盤や土被りが大きい推進施工にも適用できる。
【符号の説明】
【００２４】
１    バッキング防止筒
２    外殻
３    前方段差部
４    受口部
５    貫入ピン
６    収納孔
７    前フランジ
８    後フランジ
９    補強板
１０    クッション材
１１    シールド掘進機
１２    後続推進管
１３    加圧配管
１４    戻り配管
１５    電磁弁
１６    加圧口
１７    戻り口
１８    シール材
１９    止水材
【図１】
2018028216.tif 000003
【図２】
2018028216.tif 000004
【図３】
2018028216.tif 000005